【手続補正書】
【提出日】令和3年2月22日(2021.2.22)
【手続補正１】
【補正対象書類名】特許請求の範囲
【補正対象項目名】全文
【補正方法】変更
【補正の内容】
【特許請求の範囲】
【請求項１】
医療装置（１１０）であって、前記医療装置（１１０）は、
少なくとも１つの第１の部分（１１２）であって、前記第１の部分（１１２）が、少なくとも１つの相互接続装置（１４２）を備え、前記相互接続装置（１４２）が、
少なくとも１つの第１の導電層（１４６）、
少なくとも１つの絶縁層（１４８）、および
少なくとも１つの第２の導電層（１５０）であって、前記第２の導電層（１５０）が、少なくとも前記絶縁層（１４８）により、前記第１の導電層（１４６）から分離されている、少なくとも１つの第２の導電層（１５０）
を備える、少なくとも１つの第１の部分（１１２）と、
少なくとも１つの電気接触部（１３２）であって、前記電気接触部（１３２）が、少なくとも１つの電気接触材料（１６８）を備え、前記電気接触部（１３２）が、前記第２の導電層（１５０）に電気的に接続され、前記電気接触部（１３２）が、前記第２の導電層（１５０）に対向する、前記相互接続装置（１４２）の一方側（１９２）から接触可能であり、前記電気接触部（１３２）が、マイクロビアフリーで設けられる、少なくとも１つの電気接触部（１３２）と、
少なくとも１つの第２の部分（１１４）であって、前記第２の部分（１１４）が、少なくとも１つの電気コネクタ（１３０）を備え、前記第２の部分（１１４）が、前記第１の部分（１１２）と嵌合し、前記第２の部分（１１４）の前記電気コネクタ（１３０）と前記第１の導電層（１４６）との間の電気接続を確立し、前記電気接触部（１３２）を介して、前記電気コネクタ（１３０）と前記第２の導電層（１５０）との間の電気接続を確立するように構成される、少なくとも１つの第２の部分（１１４）と
を備える医療装置（１１０）。
【請求項２】
前記電気接触材料（１６８）は、導電性ペースト（２２２）を備え、または、導電性ペースト（２２２）として前記相互接続装置（１４２）に適用可能である、請求項１記載の医療装置（１１０）。
【請求項３】
前記電気接触材料（１６８）は、銅フリーである、請求項１または２記載の医療装置（１１０）。
【請求項４】
前記電気接触材料（１６８）は、銀、塩化銀、および炭素からなる群から選択される少なくとも１つの材料を含む、請求項１〜３のいずれか１項に記載の医療装置（１１０）。
【請求項５】
前記相互接続装置（１４２）が、少なくとも１つの縁部（１７４）を有し、前記電気接触材料（１６８）が、前記相互接続装置（１４２）の前記縁部（１７４）を越えて延在する、請求項１〜４のいずれか１項に記載の医療装置（１１０）。
【請求項６】
前記第１の導電層（１４６）は、前記絶縁層（１４８）の第１の絶縁層の側（１６４）に配置され、前記第２の導電層（１５０）は、前記絶縁層（１４８）の第２の絶縁層の側（１６６）に配置され、前記第２の絶縁層の側（１６６）は、前記第１の絶縁層の側（１６４）に対向し、前記電気接触部（１３２）および前記第１の導電層（１４６）はいずれも、前記第１の絶縁層の側（１６４）に少なくとも部分的に配置される、請求項５記載の医療装置（１１０）。
【請求項７】
前記電気接触部（１３２）が、層（１６７）を形成し、前記第１の部分（１１２）は、前記第２の導電層（１５０）が前記層（１６７）に電気的に接触するように前記層（１６７）と接触し、前記層（１６７）は、前記第１の部分（１１２）を越えて横方向に延在し、前記第２の部分（１１４）の前記電気コネクタ（１３０）は、前記第１の導電層（１４６）に接触する少なくとも１つの第１の電気コネクタ（２２６）を備え、前記電気コネクタ（１３０）は、前記第１の部分（１１２）を越えて横方向に延在する、前記電気接触部（１３２）の前記層（１６７）の一部分（１７１）を介して前記第２の導電層（１５０）に接触する少なくとも１つの第２の電気コネクタ（２２８）をさらに備える、請求項１〜６のいずれか１項に記載の医療装置（１１０）。
【請求項８】
前記第２の部分（１１４）の前記電気コネクタ（１３０）は、プラグを備え、前記少なくとも１つの第１の電気コネクタ（２２６）および前記少なくとも１つの第２の電気コネクタ（２２８）は、前記プラグの一部であり、互いに隣に配置され、前記第１の電気コネクタ（２２６）および前記第２の電気コネクタ（２２８）は、同じ側から前記第１の部分（１１２）に電気的に接触する、請求項７記載の医療装置（１１０）。
【請求項９】
前記医療装置（１１０）は、以下の構成：
前記電気接触部（１３２）の前記層（１６７）、
前記電気接触部（１３２）の前記層（１６７）と電気的に接触する前記第２の導電層（１５０）、
前記絶縁層（１４８）、
前記第１の導電層（１４６）
を与えられた順序において備える、請求項７または８記載の医療装置（１１０）。
【請求項１０】
医療装置（１１０）を製造するための方法であって、前記方法は、以下の工程：
ａ）少なくとも１つの絶縁層（１４８）であって、その上に配置された少なくとも１つの第１の導電層（１４６）および少なくとも１つの第２の導電層（１５０）を有する少なくとも１つの絶縁層（１４８）を設けることにより、前記医療装置（１１０）の少なくとも１つの第１の部分（１１２）を設ける工程であって、前記第２の導電層（１５０）が、少なくとも前記絶縁層（１４８）により、前記第１の導電層（１４６）から分離されている、少なくとも１つの第１の部分（１１２）を設ける工程、
ｂ）少なくとも１つの電気接触部（１３２）を設ける工程であって、前記電気接触部（１３２）が、少なくとも１つの電気接触材料（１６８）を備え、前記電気接触部（１３２）は、前記第２の導電層（１５０）に対向する、前記第１の部分（１１２）の一方側（１９２）から接触可能であるように配置され、前記電気接触部（１３２）が、マイクロビアフリーで設けられる、少なくとも１つの電気接触部（１３２）を設ける工程、
ｃ）前記電気接触部（１３２）を前記第２の導電層（１５０）に電気的に接続する工程、
ｄ）前記医療装置（１１０）の少なくとも１つの第２の部分（１１４）を設ける工程であって、前記第２の部分（１１４）が、少なくとも１つの電気コネクタ（１３０）を有する、少なくとも１つの第２の部分（１１４）を設ける工程、および
ｅ）前記第２の部分（１１４）を前記第１の部分（１１２）と嵌合させ、前記第２の部分（１１４）の前記電気コネクタ（１３０）と前記第１の導電層（１４６）との間の電気接続を確立し、前記電気接触部（１３２）を介して、前記電気コネクタ（１３０）と前記第２の導電層（１５０）との間の電気接続を確立する工程
を含む方法。
【請求項１１】
前記医療装置（１１０）が、請求項１〜９のいずれか１項に記載の医療装置（１１０）である、請求項１０記載の方法。
【請求項１２】
工程ｂ）およびｃ）において、前記電気接触部（１３２）が、前記絶縁層（１４８）の少なくとも１つの縁部（１７４）を越えて延在するように配置される、請求項１０または１１記載の方法。
【請求項１３】
工程ｂ）において、前記電気接触部（１３２）は、層（１６７）を形成するように配置され、工程ｃ）において、前記第１の部分（１１２）は、前記第２の導電層（１５０）が前記層（１６７）に電気的に接触するように前記層（１６７）と接触させられ、前記層（１６７）は、前記絶縁層（１４８）を越えて横方向に延在する、請求項１０〜１２のいずれか１項に記載の方法。
【請求項１４】
前記第２の部分（１１４）の前記少なくとも１つの電気コネクタ（１３０）は、第１の電気コネクタ（２２６）を備え、工程ｅ）は、前記第１の導電層（１４６）を前記第１の電気コネクタ（２２６）と電気的に接触させる工程を含み、前記第２の部分（１１４）の前記少なくとも１つの電気コネクタ（１３０）は、第２の電気コネクタ（２２８）をさらに備え、工程ｅ）は、前記絶縁層（１４８）を越えて横方向に延在する前記層（１６７）の一部分（１７１）を介して、前記第２の導電層（１５０）を前記第２の電気コネクタ（２２８）と電気的に接触させる工程を含む、請求項１３記載の方法。
【請求項１５】
前記電気接触部（１３２）の前記層（１６７）が、少なくとも１つの支持体（２１５）上に導電性ペースト（２２２）を被覆することによって形成される、請求項１３または１４記載の方法。